(57)【要約】【課題】透明カバーの汚れに起因する発光量の低下などを抑制可能な誘導灯を提案すること。【解決手段】誘導灯１の透明カバー３の表面３ａには、照明灯などの可視光が照射すると触媒作用を発揮して有機物を酸化分解する二酸化チタン光触媒からなるコーティング層３ｂが形成されている。また、透明カバー３における上側に傾斜している傾斜前板部分３５は水平方向に対して４５度以上の傾斜角度で傾斜している。この傾斜前板部分３５に付着した塵などは当該部分から自然落下し易いので、傾斜前板部分３５の表面に塵などが堆積することを防止あるいは抑制できる。透明カバー３の表面にセルフクリーニング特性のあるコーティング層３ｂを形成し、塵などが堆積しやすい部分を急傾斜にしているので、透明カバー３の表面を長期に亘って清浄状態に保持できる。【選択図】      図１
2004303603.tif 000002
【特許請求の範囲】
【請求項１】
光源ランプを備えた誘導灯本体と、この誘導灯本体に取り付けられている透明カバーと、前記透明カバーの表面の少なくとも一部に形成されたコーティング層とを有し、
前記コーティング層は、当該コーティング層の表面に付着した有機物を酸化分解可能なセルフクリーニング特性を備えていることを特徴とする誘導灯。
【請求項２】
請求項１において、
前記コーティング層は、二酸化チタン光触媒などの光触媒からなるコーティング層であることを特徴とする誘導灯。
【請求項３】
請求項２において、
前記コーティング層は、可視光成分が当たると触媒作用を発揮する光触媒からなるコーティング層であることを特徴とする誘導灯。
【請求項４】
請求項１、２または３において、
前記コーティング層は、少なくとも、前記透明カバーにおける水平方向よりも上方に向いている表面部分に形成されていることを特徴とする誘導灯。
【請求項５】
請求項４において、
前記表面部分は、水平方向に対して４５度以上の傾斜角度で傾斜している平面あるいは凸曲面であることを特徴とする誘導灯。
【請求項６】
請求項１ないし５のうちのいずれかの項において、
前記光源ランプに対峙している前記透明カバーの部分に前記コーティング層が形成されていることを特徴とする誘導灯。
【請求項７】
請求項６において、
前記誘導灯本体は、前記光源ランプに駆動電力を供給するための電池電源を備え、前記電池電源は前記透明カバーを介して入射する外光により発電作用を行うソーラーパネルを含んでおり、
前記ソーラーパネルに対峙している前記透明カバーの部分に前記コーティング層が形成されていることを特徴とする誘導灯。
【請求項８】
請求項６または７において、
前記誘導灯本体は、前記透明カバーを介して入射する外光に基づき照度を検出する照度センサを備えており、
前記照度センサの受光面に対峙している前記透明カバーの部分に前記コーティング層が形成されていることを特徴とする誘導灯。
【発明の詳細な説明】
【０００１】
【発明の属する技術分野】
本発明は、地下街、地下鉄通路などにおける火災などの非常時に、人を避難路に沿って安全に避難口まで案内するために、壁面等に設置される誘導灯に関するものであり、特に、その透明カバーの改良に関するものである。
【０００２】
【従来の技術】
地下街や地下鉄通路内に設置されている誘導灯は、火災発生などによって煙が充満して視界が悪くなった場合に、人を避難口などの安全な場所に誘導するために設置されている。誘導灯の電源としては商用交流電源が用いられている。また、商用交流電源が遮断された非常時に蓄電池に切り替えて誘導灯を点灯するシステムも知られている。例えば次の特許文献１にかかる構成を備えた防災用照明装置が開示されている。
【０００３】
なお、本願人は、商用交流電源が埋設されていない場所、特に道路のトンネル内に設置するのに適した誘導灯システムを提案している（特願２００２−３３７４６３号）。
【０００４】
【特許文献１】
特開２００１−３３８７８４号公報
【０００５】
【発明が解決しようとする課題】
ここで、地下街や地下鉄道路、あるいは道路のトンネル内などでは、埃や車の排気ガスなどが大量に発生する。従って、誘導灯の表面を覆っている透明カバーに塵が付着して堆積しやすい。透明カバーが汚れると、その透明度が低下し、点灯時における輝度が低下して視認性が低下する惧れがある。
【０００６】
また、ソーラーパネルを内蔵して自己発電を行うように構成された誘導灯においては、透明カバーが汚れると、透明カバーを介して入射する外光のエネルギが減衰してしまう。この結果、充分な量の発電が出来なくなる惧れもある。同様に、火災時などにおいて照明が消え、あるいは煙が充満して照度が低下した時に発光させるために、照度センサを内蔵した誘導灯の場合にも、透明カバーが汚れると、照度センサが誤動作する惧れがある。
【０００７】
本発明の課題は、このような点に鑑みて、塵などの堆積や汚れを回避あるいは抑制可能な透明カバーを備えた誘導灯を提案することにある。
【０００８】
【課題を解決するための手段】
上記の課題を解決するために、本発明の誘導灯は、光源ランプを備えた誘導灯本体と、この誘導灯本体に取り付けられている透明カバーと、前記透明カバーの表面の少なくとも一部に形成されたコーティング層とを有し、前記コーティング層は、当該コーティング層の表面に付着した有機物を酸化分解可能なセルフクリーニング特性を備えていることを特徴としている。セルフクリーニング特性を備えたコーティング層として、二酸化チタン光触媒などの光触媒からなるコーティング層を用いることができる。
【０００９】
本発明によれば、誘導灯の透明カバーに付着した塵などの汚れがコーティング層によって酸化分解されるので、透明カバーの表面が長期に亘って清浄な状態に維持される。よって、透明カバーの汚れに起因する視認性の低下、内蔵のソーラーパネルの発電量の低下、内蔵の照度センサの誤動作などの弊害を回避できる。
【００１０】
ここで、地下街や地下鉄通路などの壁面に設置される誘導灯では、太陽光ではなく照明灯や広告灯の光が照射する。従って、この場合には、紫外線ではなく可視光成分によって触媒作用を発揮する光触媒のコーティング層を形成することが望ましい。
【００１１】
また、誘導灯の透明カバーにおいては、その上方を向いている部分に塵などが付着して堆積し易い。従って、前記コーティング層は、透明カバーの表面における汚れ易い部分、すなわち、前記透明カバーにおける水平方向よりも上方に向いている表面部分に形成しておくことが望ましい。
【００１２】
さらに、透明カバーにおける水平方向よりも上方に向いている前記表面部分は、水平方向に対して４５度以上の傾斜角度で傾斜している平面あるいは凸曲面とすることが望ましい。傾斜角度を大きくしておけば、塵などの付着堆積を抑制できる。
【００１３】
次に、前記コーティング層は、前記透明カバーにおける前記光源ランプに対峙している部分に形成しておけばよい。また、前記誘導灯本体が、前記光源ランプに駆動電力を供給するための電池電源を備え、前記電池電源が前記透明カバーを介して入射する外光により発電作用を行うソーラーパネルを含んでいる場合には、前記ソーラーパネルに対峙している前記透明カバーの部分に前記コーティング層を形成しておけばよい。さらに、前記誘導灯本体が、前記透明カバーを介して入射する外光に基づき照度を検出する照度センサを備えている場合には、前記照度センサの受光面に対峙している前記透明カバーの部分に前記コーティング層を形成しておけばよい。
【００１４】
【発明の実施の形態】
以下に、図面を参照して、本発明を適用した誘導灯の実施の形態を説明する。
【００１５】
図１は本実施の形態に係る誘導灯を一部切り欠いた状態で示す斜視図であり、図２は誘導灯の透明カバーを切り欠いた状態での正面図、誘導灯の縦断面図、および誘導灯の光源ランプの概略横断面図である。本実施の形態に係る誘導灯１は、地下街、トンネルなどの壁面に設置されるものであり、誘導灯本体２とプラスチック製などの透明カバー３とを備えている。誘導灯本体２は、壁面Ｗに固定される取付板２Ａと、この取付板２Ａの表面２ａに取り付けた光源ランプユニット４とを備えており、光源ランプユニット４が透明カバー３によって覆われている。
【００１６】
光源ランプユニット４は、鋼板などの板材から組み立てられているユニットケース５を備えており、このユニットケース５の上端部分には３枚のソーラーパネル６が取り付けられている。また、ユニットケース５の前面の下側部分には光源ランプ７が取り付けられており、ユニットケース５の内部には二次電池８と、制御基板９が配置されている。
【００１７】
本例の透明カバー３は可視光に対して透明であり、地下街やトンネル内に設置されている照明光や広告灯の光が透明カバー３を透過して内部のソーラーパネル６の受光面に到達可能である。また、光源ランプユニット４からの光が透明カバー３を透過して外部に放出可能である。透明カバー３は水平な底板部分３１と、この底板部分３１の前縁および左右の縁から上方に垂直に延びている垂直前板部分３２および左右の垂直側板部分３３、３４と、垂直前板部分３２の上端から４５度よりも急な傾斜角度θ（図２（ｂ）参照）で後退している傾斜前板部分３５とを備えている。
【００１８】
底板部分３１、左右の垂直側板部分３３、３４、および傾斜前板部分３５の後端縁は、Ｏリングなどのシール材１０を介して取付板表面２ａに液密状態で固定されている。カバー３を取付板表面２ａに固定するために、カバー３の左右の垂直側板部分３３、３４には側方に突出しているフランジ３６、３７が形成され、これらに固定ねじ（図示せず）をねじ込むためのタップ孔３６ａ、３７ａが形成されている。
【００１９】
ここで、図１に示すように、本例の透明カバー３の表面３ａの全面には、セルフクリーニング特性を備えたコーティング層３ｂが形成されている。このコーティング層３ｂは、例えば、二酸化チタン光触媒からなるコーティング層であり、４２０〜４３０ｎｍの可視光成分が当たると、触媒作用を発揮して、表面に付着した埃などの有機物を酸化分解する。このような光触媒コーティング層３ｂは、日本パーカライジング株式会社により「パルチタン」の商品名で販売されている光触媒コーティング剤を用いて形成することができる。
【００２０】
このように、本例の透明カバー３の表面３ａにはセルフクリーニング特性を備えたコーティング層３ｂが形成されており、塵などが堆積しやすい透明カバー３における上側に向いている部分（傾斜前板部分３５）を４５度以上の急斜面としてある。従って、透明カバー３の表面３ａに塵などの異物が堆積することを抑制でき、表面３ａに付着した異物はコーティング層３ｂの作用によって酸化分解される。よって、透明カバー３の表面３ａを長期に亘って清浄な状態に保持できる。
【００２１】
次に、光源ランプユニット４の上端部分に取り付けられている３枚のソーラーパネル６は、僅かに横長の長方形をしており、前側が下となるようにほぼ４５度の傾斜角度で設置されている。ソーラーパネル６はカバー３を介して、天井などに設置されている照明灯や広告灯などの光を受けて発電を行う。ソーラーパネル６で発生した電力は二次電池８に蓄積される。
【００２２】
一方、本例の光源ランプ７は、フラッシュランプ１１と、３個の白色発光ダイオードランプ２１、２２、２３と、これらの発光を制御する発光制御回路（図３参照）とを備えている。図２（ｂ）および（ｃ）から分かるように、フラッシュランプ１１はほぼ誘導灯１の幅方向の中央に配置されており、フラッシュランプ１１の右側に１個の白色発光ダイオードランプ２１が配置され、フラッシュランプ１１の左側に２個の白色発光ダイオードランプ２２、２３が配置されている。これらは同一高さ位置に配列されている。
【００２３】
フラッシュランプ１１は、気体放電電球１２と、リフレクタ１３と、電球１２の前面に配置されている前面カバー１４とを備えている（図２（ｂ）参照）。本例では、リフレクタ１３の反射面形状を適切に設定することにより、射出光の上下方向の発散角を所定角度以下となるようにして、射出光の上下方向の指向性を高めている。また、前面カバー１４には５００ｎｍ以下の可視光成分をカットするフィルタ１４ａが貼り付けられている。この代わりに同一の光学特性を備えたフィルタ層を前面カバー１４の表面あるいは裏面にコーティングしてもよい。この結果、フラッシュンランプ１１からの射出光は白色光ではなく、淡黄色、黄色あるいは淡いオレンジ色になる。また、フラッシュランプの他、黄色発光ダイオードを用いても良い。
【００２４】
次に、図２（ｃ）に示すように、フラッシュランプ１１の右側に配置されている白色発光ダイオードランプ２１は、誘導灯前方に延びているフラッシュランプ１１の主光軸１１ａに対して右側に３０度傾斜した方向が射出光の光軸２１ａとなるように配置されている。また、本例の白色発光ダイオードランプ２１は発散角度が一般的なものよりも狭い３０度以下、例えば２０度の狭角発光ダイオードを用いている。さらに、白色発光ダイオードランプ２１のランプレンズ２１ｂには５００ｎｍ以下の可視光成分をカットする光学特性を備えたコーティングが形成されている。また、白色発光ダイオードランプの他、黄色発光ダイオードを用いても良い。
【００２５】
フラッシュランプ１１の左側に配置されている白色発光ダイオードランプ２２は、誘導灯前方に向かう方向が射出光の光軸２２ａとなるように配置されている。これに対して、このランプ２２の左側に配置されている白色発光ダイオードランプ２３は、ランプ２２の光軸２２ａに対して左側に３０度傾斜した方向が射出光の光軸２３ａとなるように配置されている。これらの白色発光ダイオードランプ２２、２３も狭角発光ダイオードであり、それらのランプレンズ２２ｂ、２３ｂには５００ｎｍ以下の可視光成分をカットするコーティングが施されている。また、白色発光ダイオードランプの他、黄色発光ダイオードを用いても良い。
【００２６】
図３は本例の誘導灯１の制御基板９に作り込まれている制御回路を示す概略ブロック図である。制御回路４０は、照度検出部４１と、スイッチング回路４２と、発光制御回路４３を備えている。照度検出部４１は、誘導灯１が設置されている場所の照度を検出するためのものであり、検出回路４５を備えている。検出回路４５では、ソーラーパネル６の発電量をモニターしており、発電量が予め定めた基準量よりも下回った場合、換言すると、照度が所定の照度レベルを下回った場合に、スイッチング信号をスイッチング回路４２に出力する。このスイッチング信号を受信すると、通常はオフ状態に保持されているスイッチング回路４２がオンに切り替わる。例えば、４０ルックス以下になるとスイッチング回路４２がオンに切り替わる。
【００２７】
本例では、ソーラーパネル６の発電量に基づき間接的に照度検出を行っているが、この代わりに、明暗感知センサあるいは照度センサを別途配置し、その出力に基づき照度検出を行うこともできる。
【００２８】
次に、本例では電池電源としてソーラーパネル（太陽電池）６と、このソーラーパネル６によって充電される二次電池８とを備えている。前述のようにソーラーパネル６は照明灯や広告灯などの光を受光し、発生した起電力が二次電池８に蓄えられる。この二次電池８から照度検出部４１、スイッチング回路４２および光源ランプ７（フラッシュランプ１１、白色発光ダイオード２１、２２、２３）に電力が供給される。
【００２９】
スイッチング回路４３がオフの状態では給電回路が遮断されているので、光源ランプ７は発光しない。誘導灯設置場所の照度が４０ルックス以下に低下すると、スイッチング回路４２がオンに切り替わり、給電回路が形成されて、発光制御回路４３の制御の下に、光源ランプ７が発光する。
【００３０】
図４は、フラッシュランプ１１および３個の白色発光ダイオード２１、２２、２３の発光状態を示すタイミングチャートである。図４（ａ）に示すように、フラッシュランプ１１は一定の間隔Ｔ１で０．１〜０．２ｍｓの短い閃光Ｌ（１１）を発生する（ストロボ発光する）。これに対して、図４（ｂ）に示すように、３個の白色発光ダイオードランプ２１、２２、２３は、フラッシュランプ１１と交互に発光するように制御されている。本例の白色発光ダイオード２１〜２３は、オンオフのデューティ比が５０％で、ストロボ発光と同一の周期Ｔ１でオンオフ制御される。このようなフラッシュランプ１１、白色発光ダイオードランプ２１、２２、２３の発光制御が発光制御回路４３によって行われる。
【００３１】
（その他の実施の形態）
なお、上記の例は誘導灯では透明カバー３の表面全体にコーティング層３ｂを形成してある。この代わりに、光源ランプ７の前面を覆っている透明カバー３の部分とソーラーパネル６の前面を覆っている透明カバー３の部分にのみコーティング層３ｂを形成してもよい。また、照度センサを備えている場合には、当該照度センサの受光面に対峙している部分にもコーティング層３ｂを形成すればよい。
【００３２】
次に、図５に示すように、ソーラーパネル６の受光面６ａが上向き状態で水平に配置されている場合には、当該受光面６ａを覆っている透明カバー３Ａの部分３Ｂの表面にコーティング層３ｂを形成すればよい。さらに、この部分の形状を上方に突出した放物線状断面とし、その先端部分を除き、その表面に引いた接線の水平線に対する角度θが４５度以上となるようにすれば、透明カバーの部分３Ｂの表面に付着した塵などが自然落下し易い。よって、この部分の汚れの発生を抑制できる。
【００３３】
【発明の効果】
以上説明したように、本発明の誘導灯においては、その透明カバーの表面の少なくとも一部に、セルフクリーニング特性を備えたコーティング層を形成してある。コーティング層を形成しておくことにより、塵などが透明カバーの表面に付着堆積して、その透明度が低下してしまうことを抑制できる。この結果、透明カバーの表面を長期間に亘って清浄な状態に保持できるので、透明カバーの汚れに起因した誘導灯の発光量の低下、内蔵のソーラーパネルの発電量の低下、あるいは内蔵の照度センサの誤動作などを防止できる。
【００３４】
また、本発明の誘導灯では、その透明カバーにおける光源ランプ、ソーラーパネルあるいは照度センサに対峙している部分を、水平方向に対して４５度以上傾斜した傾斜面あるいは凸曲面としてある。従って、透明カバーにおける当該部分に落下した塵などが自然落下し易いので、塵などの堆積を抑制できる。よって、コーティング層のセルフクリーニング効果との相乗効果によって、透明カバーの表面を長期に亘り清浄な状態に保持できる。
【図面の簡単な説明】
【図１】本発明を適用した誘導灯を一部切り取った状態で示す斜視図である。
【図２】（ａ）は図１の誘導灯を透明カバーを切り取った状態で示す正面図、（ｂ）は図１の誘導灯の縦断面図、および（ｃ）は図１の誘導灯の主要部分を示す概略横断面図である。
【図３】図１の誘導灯の制御回路を示す概略ブロック図である。
【図４】図１の誘導灯の光源ランプの発光動作を示すタイミングチャートである。
【図５】誘導灯の透明カバーの別の例を示す説明図である。
【符号の説明】
１    誘導灯
２    誘導灯本体
２Ａ    取付板
３、３Ａ    透明カバー
３ａ  透明カバーの表面
３ｂ  コーティング層
４    光源ランプユニット
５    ユニットケース
６    ソーラーパネル
７    光源ランプ
８    二次電池
１１  フラッシュランプ
１１ａ  主光軸
１２  電球
１３  リフレクタ
１４  前面カバー
１４ａ  光学フィルタ
２１、２２、２３、２４、２５  白色発光ダイオードランプ
２１ａ〜２５ａ  光軸
２１ｂ〜２３ｂ  ランプレンズ
４１  照度検出部
４２  スイッチング回路
４３  発光制御回路
【図１】
2004303603.tif 000003
【図２】
2004303603.tif 000004
【図３】
2004303603.tif 000005
【図４】
2004303603.tif 000006
【図５】
2004303603.tif 000007